(57)【特許請求の範囲】
【請求項１】
端末機間の呼接続を行うＳＩＰサーバと、端末機の発信後の前記ＳＩＰサーバからの着信先の問合せ時に、自サーバに記憶する前記着信先の接続先情報又はＥＮＵＭ権威ＤＮＳサーバから取得して記憶した接続先情報を当該ＳＩＰサーバへ返信するＥＮＵＭキャッシュサーバと、前記接続先情報を一括管理し、当該ＥＮＵＭキャッシュサーバからの取得要求に応じて該当接続先情報を返信するＥＮＵＭ権威ＤＮＳサーバと、端末機の加入者情報を一括管理し、前記ＳＩＰサーバからの着信先の問合せに応じて該当加入者情報を当該ＳＩＰサーバへ返信するＨＳＳサーバとを有する通信システムであって、
前記ＨＳＳサーバは、
前記ＳＩＰサーバからの着信先の問合せのアクセス数を、前記加入者情報に含まれる端末機の着信先番号毎に所定時間カウントアップし、当該カウントアップされるアクセス数を、前記端末機が在圏する通信エリア毎に合計して合計アクセス数として記憶部に記憶する計数部と、
前記合計アクセス数が、予め定められた閾値を超えた場合に、当該閾値を超えた通信エリアを輻輳が予測される輻輳エリアと判定する判定部と、
前記判定された輻輳エリアの全ての着信先番号を前記ＥＮＵＭ権威ＤＮＳサーバへ送信する番号送信部と、
を備え、
前記ＥＮＵＭ権威ＤＮＳサーバは、
前記ＨＳＳサーバの前記番号送信部から送信された前記全ての着信先番号を該当接続先情報に各々対応付けて、前記ＥＮＵＭキャッシュサーバへ一括送信する一括送信部
を備える
ことを特徴とする通信システム。
【請求項２】
端末機間の呼接続を行うＳＩＰサーバと、端末機の発信後の前記ＳＩＰサーバからの着信先の問合せ時に、前記着信先の接続先情報をＥＮＵＭキャッシュサーバから取得し、この取得した接続先情報に当該着信先の端末機の加入者情報を対応付けて、前記ＳＩＰサーバへ返信するＨＳＳサーバと、自サーバに記憶する前記接続先情報又はＥＮＵＭ権威ＤＮＳサーバから取得して記憶した前記接続先情報を前記ＨＳＳサーバへ返信するＥＮＵＭキャッシュサーバと、前記ＥＮＵＭキャッシュサーバからの取得要求に応じて該当接続先情報を返信するＥＮＵＭ権威ＤＮＳサーバとを有する通信システムであって、
前記ＨＳＳサーバは、
前記ＳＩＰサーバからの着信先の問合せのアクセス数を、前記加入者情報に含まれる端末機の着信先番号毎に所定時間カウントアップし、当該カウントアップされるアクセス数を、前記端末機が在圏する通信エリア毎に合計して合計アクセス数として記憶部に記憶する計数部と、
前記合計アクセス数が、予め定められた閾値を超えた場合に、当該閾値を超えた通信エリアを輻輳が予測される輻輳エリアと判定する判定部と、
前記判定された輻輳エリアの全ての着信先番号を前記ＥＮＵＭ権威ＤＮＳサーバへ送信する番号送信部と、
を備え、
前記ＥＮＵＭ権威ＤＮＳサーバは、
前記ＨＳＳサーバの前記番号送信部から送信された前記全ての着信先番号を該当接続先情報に各々対応付けて、前記ＥＮＵＭキャッシュサーバへ一括送信する一括送信部
を備える
ことを特徴とする通信システム。
【請求項３】
端末機間の呼接続を行うＳＩＰサーバと、端末機の発信後の前記ＳＩＰサーバからの着信先の問合せ時に、自サーバに記憶する前記着信先の接続先情報又はＥＮＵＭ権威ＤＮＳサーバから取得して記憶した接続先情報を当該ＳＩＰサーバへ返信するＥＮＵＭキャッシュサーバと、前記接続先情報を一括管理し、当該ＥＮＵＭキャッシュサーバからの取得要求に応じて該当接続先情報を返信するＥＮＵＭ権威ＤＮＳサーバと、端末機の加入者情報を一括管理し、前記ＳＩＰサーバからの着信先の問合せに応じて該当加入者情報を当該ＳＩＰサーバへ返信するＨＳＳサーバとを有する通信システムであって、
前記ＥＮＵＭキャッシュサーバは、
前記ＳＩＰサーバからの着信先の問合せ時に、前記着信先の端末機が在圏する通信エリアの情報をＨＳＳサーバから取得する在圏エリア取得部と、
前記ＳＩＰサーバからの着信先の問合せのアクセス数を、前記ＨＳＳサーバから取得した通信エリア毎に所定時間カウントアップし、当該カウントアップされるアクセス数を当該通信エリア毎に記憶部に記憶する計数部と、
前記アクセス数が、予め定められた閾値を超えた場合に、当該閾値を超えた通信エリアを輻輳が予測される輻輳エリアと判定する判定部と、
前記判定された輻輳エリアの全ての着信先番号を、前記ＨＳＳサーバにアクセスして取得する全番号取得部と、
前記全番号取得部で取得された前記輻輳エリアの全ての着信先番号に対応する全ての接続先情報を、前記ＥＮＵＭ権威ＤＮＳサーバにアクセスして取得する全情報取得部と、
前記全情報取得部で取得された、前記全ての着信先番号に該当接続先情報を対応付けてキャッシュする処理を行う対応付け処理部と、
を備え、
前記ＥＮＵＭ権威ＤＮＳサーバは、
前記接続先情報の取得要求に応じて、前記輻輳エリアの全ての着信先番号に対応する全ての接続先情報をＥＮＵＭキャッシュサーバへ一括返信する一括送信部
を備える
ことを特徴とする通信システム。
【請求項４】
端末機間の呼接続を行うＳＩＰサーバと、端末機の発信後の前記ＳＩＰサーバからの着信先の問合せ時に、自サーバに記憶する前記着信先の接続先情報又はＥＮＵＭ権威ＤＮＳサーバから取得して記憶した接続先情報を当該ＳＩＰサーバへ返信するＥＮＵＭキャッシュサーバと、前記接続先情報を一括管理し、当該ＥＮＵＭキャッシュサーバからの取得要求に応じて該当接続先情報を返信するＥＮＵＭ権威ＤＮＳサーバと、端末機の加入者情報を一括管理し、前記ＳＩＰサーバからの着信先の問合せに応じて該当加入者情報を当該ＳＩＰサーバへ返信するＨＳＳサーバとを有する通信システムによる輻輳回避方法であって、
前記通信システムの前記ＨＳＳサーバは、
前記ＳＩＰサーバからの着信先の問合せのアクセス数を、前記加入者情報に含まれる端末機の着信先番号毎に所定時間カウントアップし、当該カウントアップされるアクセス数を、前記端末機が在圏する通信エリア毎に合計して合計アクセス数として記憶部に記憶するステップと、
前記合計アクセス数が、予め定められた閾値を超えた場合に、当該閾値を超えた通信エリアを輻輳が予測される輻輳エリアと判定するステップと、
前記判定された輻輳エリアの全ての着信先番号を前記ＥＮＵＭ権威ＤＮＳサーバへ送信するステップとを実行し、
前記ＥＮＵＭ権威ＤＮＳサーバは、前記ＨＳＳサーバから送信されてきた前記全ての着信先番号を該当接続先情報に各々対応付けて、前記ＥＮＵＭキャッシュサーバへ一括送信するステップを実行する
ことを特徴とする輻輳回避方法。
【発明の詳細な説明】
【技術分野】
【０００１】
本発明は、移動体通信やＩＰ（Internet Protocol）電話通信を提供する通信サービス網において、激甚災害発生時等に輻輳を回避して適正な通信を可能とする通信システム及び輻輳回避方法に関する。
【背景技術】
【０００２】
従来、移動体通信網やＩＰ網において、通信事業者網内で各地に点在し、端末機間の呼接続を行うＳＩＰ（Session Initiation Protocol）サーバ等の通信装置が、電話番号とＵＲＩ（Uniform Resource Identifiers）との対応付けを行う仕組みとしてＥＮＵＭ（Telephone Number Mapping）システムが提案されている。
【０００３】
このＥＮＵＭシステムでは、ＤＮＳ（Domain Name System）で用いられるような、一度問合せた情報を記憶（キャッシュともいう）しておくキャッシュ機構（ＥＮＵＭキャッシュサーバ）を備えることが提案されている（特許文献１参照）。自網内の端末機から接続先（着信先）となる端末機への接続要求を受け付けたＳＩＰサーバは、まず、ＥＮＵＭキャッシュサーバ（単に、キャッシュサーバともいう）に後述する接続先情報を問合せ、キャッシュサーバは、自サーバにその接続先情報をキャッシュしていれば、この接続先情報をＳＩＰサーバへ返信する。なお、接続先情報は、接続先となる端末機（ＩＰ電話機又は、携帯電話機及びスマートフォン等の携帯端末機）の電話番号についてのＩＰアドレスや、ドメイン名等の情報である。
【０００４】
一方、キャッシュサーバは、接続先情報を蓄積していない場合には、接続先情報を記憶しているＥＮＵＭサーバに問合わせを行って接続先情報を取得し、この接続先情報をキャッシュデータとして蓄積した上で、ＳＩＰサーバへ返信する。但し、ＥＮＵＭサーバは、ＤＮＳの仕組みを利用し、キャッシュサーバからの問合せを受け付けるサーバであるため、ＥＮＵＭ権威ＤＮＳサーバとも称される。なお、ＥＮＵＭ権威ＤＮＳサーバは、権威サーバともいう。
【０００５】
ＩＰ網においては、ＥＮＵＭシステムを利用して、ＳＩＰサーバが接続先情報をＥＮＵＭキャッシュサーバに問合せて接続先情報を取得し、この接続先情報に基づいて呼接続を行う。
【０００６】
一方、移動体通信網においては、端末機としての携帯端末機が、この所持者と供に自動車や電車、飛行機等で各地に存在する電波通信エリアを自由に移動する。また、移動体通信網においては、携帯端末機の電話番号を通信事業者間で自由に持ち回れる番号ポータビリティが実施されている。
【０００７】
このため、各地に点在するＳＩＰサーバは、携帯端末機からの接続先の問合せ時に、キャッシュサーバへ接続先を問合せて上述したように接続先情報を取得する。また、キャッシュサーバは、番号ポータビリティを管理しており、携帯端末機が着信先端末機に発信した際に、ＳＩＰサーバは、発信された電話番号が番号ポータビリティされているか否かをキャッシュサーバに問い合わせる。キャッシュサーバは、その着信先の電話番号が他の通信事業者Ａが管理する番号であれば、その通信事業者Ａから該当の接続先情報（番号ポータビリティ関連情報）を取得して、ＳＩＰサーバへ返信する。
【０００８】
ＳＩＰサーバは、その接続先情報を受信すると、端末機の電話番号やサービス情報等を含む加入者情報を一括管理するＨＳＳ（Home Subscriber Server）に、その接続先情報に係る加入者情報を問合せて取得する。ＳＩＰサーバは、その取得した加入者情報に示されるサービスの条件等に基づき、発信元端末機を、着信先端末機に呼接続する。なお、ＨＳＳはＨＳＳサーバとも称する。
【０００９】
ところで、ＰＳＴＮ（Public Switched Telephone Network：公衆電話交換回線網）網からＩＰ網への移行に伴い、ＩＰ網においても固定電話番号を通信事業者間で自由に持ち回れる番号ポータビリティの仕組みが検討されている。複数の通信事業者のＩＰ網で接続される環境において、番号ポータビリティを可能にする技術としてＡＣＱ（ALL CALL QUERY）方式が提案されている（非特許文献１参照）。
【００１０】
非特許文献１に記載のＡＣＱ方式では、各通信事業者の番号ポータビリティ情報を集中管理したデータベースを、ＤＮＳの仕組みを利用したＥＮＵＭサーバに備え、各通信事業者のＳＩＰサーバは、ＥＮＵＭサーバにアクセスすることにより、各電話番号が他網へ移転(ポートアウト)しているか否かを解決し、接続先の情報を取得して通信を行う。即ち、ＳＩＰサーバは、接続先情報を受信すると、着信先が自ＩＰ網か否かを判断し、自ＩＰ網である場合には、ＨＳＳを経由した上で、着信先となるＩＰ網上の端末機に呼接続するようになっている。
【先行技術文献】
【特許文献】
【００１１】
【特許文献１】特開２００７−２４３５６４号公報
【非特許文献】
【００１２】
【非特許文献１】“Recommendation ITU-T E.164 - Supplement 2 : Number Portabi    lity”, International Telecommunication Union, 11/2009
【発明の概要】
【発明が解決しようとする課題】
【００１３】
しかし、ある通信エリアに激甚災害が発生したとすると、激甚災害地域の通信エリアに在圏する携帯端末機への接続要求が急増する。この急増する接続要求の接続先情報は、緊急時であるため、キャッシュサーバが激甚災害発生の前にキャッシュされていないものが多い。このため、キャッシュサーバから権威サーバに多数の接続先情報の問合せを行うことになるので、輻輳が生じることになる。この輻輳を回避して急増する問合せに応答可能とするためには、権威サーバの処理性能を向上させたり、その台数を増加させたりする増強が必要となる。この増強を行う場合、権威サーバ等の通信設備コストが増大するという問題が生じる。
【００１４】
本発明は、このような背景に鑑みてなされたものであり、特定の通信エリアへの接続要求が急増した場合に、通信設備コストを増大させることなく、その急増する接続要求に応答することができる通信システム及び輻輳回避方法を提供することを課題とする。
【課題を解決するための手段】
【００１５】
前記した課題を解決するため、請求項１に記載の発明は、端末機間の呼接続を行うＳＩＰサーバと、端末機の発信後の前記ＳＩＰサーバからの着信先の問合せ時に、自サーバに記憶する前記着信先の接続先情報又はＥＮＵＭ権威ＤＮＳサーバから取得して記憶した接続先情報を当該ＳＩＰサーバへ返信するＥＮＵＭキャッシュサーバと、前記接続先情報を一括管理し、当該ＥＮＵＭキャッシュサーバからの取得要求に応じて該当接続先情報を返信するＥＮＵＭ権威ＤＮＳサーバと、端末機の加入者情報を一括管理し、前記ＳＩＰサーバからの着信先の問合せに応じて該当加入者情報を当該ＳＩＰサーバへ返信するＨＳＳサーバとを有する通信システムであって、前記ＨＳＳサーバは、前記ＳＩＰサーバからの着信先の問合せのアクセス数を、前記加入者情報に含まれる端末機の着信先番号毎に所定時間カウントアップし、当該カウントアップされるアクセス数を、前記端末機が在圏する通信エリア毎に合計して合計アクセス数として記憶部に記憶する計数部と、前記合計アクセス数が、予め定められた閾値を超えた場合に、当該閾値を超えた通信エリアを輻輳が予測される輻輳エリアと判定する判定部と、前記判定された輻輳エリアの全ての着信先番号を前記ＥＮＵＭ権威ＤＮＳサーバへ送信する番号送信部と、を備え、前記ＥＮＵＭ権威ＤＮＳサーバは、前記ＨＳＳサーバの前記番号送信部から送信された前記全ての着信先番号を該当接続先情報に各々対応付けて、前記ＥＮＵＭキャッシュサーバへ一括送信する一括送信部を備えることを特徴とする通信システムである。
【００１６】
この構成によれば、ＨＳＳサーバ（ＨＳＳ）が通信エリア（例えば＃２）を輻輳エリアと判定した際に、ＨＳＳからＥＮＵＭ権威ＤＮＳサーバ（権威サーバ）を介してＥＮＵＭキャッシュサーバ（キャッシュサーバ）に、輻輳エリア（＃２）に在圏する全ての端末機の着信先番号が該当接続先情報に各々対応付けられて記憶（キャッシュ）される。このため、ＳＩＰサーバからキャッシュサーバに対して、輻輳エリア（＃２）に在圏する端末機への接続先情報要求メッセージを送信した際に、キャッシュサーバは、その要求のあった着信先番号及び接続先情報をＳＩＰサーバへ返信することが可能となる。これにより、ＳＩＰサーバは、着信先番号及び接続先情報に応じて、発信元端末機を着信先端末機に呼接続することができる。
【００１７】
このため、輻輳エリア（＃２）への着信先の問合せ時には、キャッシュサーバから権威サーバへの接続先情報の問合せを行わなくとも良くなるので、着信先の問合せが急増しても、キャッシュサーバと権威サーバ間で輻輳が生じることが無くなる。従って、本発明では、特定の通信エリア（＃２）への接続要求が急増した場合に、通信設備コストを増大させることなく、その急増する接続要求に応答することができる。
【００１８】
請求項２に係る発明は、端末機間の呼接続を行うＳＩＰサーバと、端末機の発信後の前記ＳＩＰサーバからの着信先の問合せ時に、前記着信先の接続先情報をＥＮＵＭキャッシュサーバから取得し、この取得した接続先情報に当該着信先の端末機の加入者情報を対応付けて、前記ＳＩＰサーバへ返信するＨＳＳサーバと、自サーバに記憶する前記接続先情報又はＥＮＵＭ権威ＤＮＳサーバから取得して記憶した前記接続先情報を前記ＨＳＳサーバへ返信するＥＮＵＭキャッシュサーバと、前記ＥＮＵＭキャッシュサーバからの取得要求に応じて該当接続先情報を返信するＥＮＵＭ権威ＤＮＳサーバとを有する通信システムであって、前記ＨＳＳサーバは、前記ＳＩＰサーバからの着信先の問合せのアクセス数を、前記加入者情報に含まれる端末機の着信先番号毎に所定時間カウントアップし、当該カウントアップされるアクセス数を、前記端末機が在圏する通信エリア毎に合計して合計アクセス数として記憶部に記憶する計数部と、前記合計アクセス数が、予め定められた閾値を超えた場合に、当該閾値を超えた通信エリアを輻輳が予測される輻輳エリアと判定する判定部と、前記判定された輻輳エリアの全ての着信先番号を前記ＥＮＵＭ権威ＤＮＳサーバへ送信する番号送信部と、を備え、前記ＥＮＵＭ権威ＤＮＳサーバは、前記ＨＳＳサーバの前記番号送信部から送信された前記全ての着信先番号を該当接続先情報に各々対応付けて、前記ＥＮＵＭキャッシュサーバへ一括送信する一括送信部を備えることを特徴とする通信システムである。
【００１９】
この構成によれば、ＳＩＰサーバからのＨＳＳへの着信先の問合せ時に、ＨＳＳが、着信先の接続先情報をキャッシュサーバから取得し、この取得した接続先情報に前記着信先の端末機の加入者情報を対応付けて、ＳＩＰサーバへ返信する通信処理を行う通信システムにおいても、請求項１と同様の作用効果を得ることができる。
【００２０】
請求項３に係る発明は、端末機間の呼接続を行うＳＩＰサーバと、端末機の発信後の前記ＳＩＰサーバからの着信先の問合せ時に、自サーバに記憶する前記着信先の接続先情報又はＥＮＵＭ権威ＤＮＳサーバから取得して記憶した接続先情報を当該ＳＩＰサーバへ返信するＥＮＵＭキャッシュサーバと、前記接続先情報を一括管理し、当該ＥＮＵＭキャッシュサーバからの取得要求に応じて該当接続先情報を返信するＥＮＵＭ権威ＤＮＳサーバと、端末機の加入者情報を一括管理し、前記ＳＩＰサーバからの着信先の問合せに応じて該当加入者情報を当該ＳＩＰサーバへ返信するＨＳＳサーバとを有する通信システムであって、前記ＥＮＵＭキャッシュサーバは、前記ＳＩＰサーバからの着信先の問合せ時に、前記着信先の端末機が在圏する通信エリアの情報をＨＳＳサーバから取得する在圏エリア取得部と、前記ＳＩＰサーバからの着信先の問合せのアクセス数を、前記ＨＳＳサーバから取得した通信エリア毎に所定時間カウントアップし、当該カウントアップされるアクセス数を当該通信エリア毎に記憶部に記憶する計数部と、前記アクセス数が、予め定められた閾値を超えた場合に、当該閾値を超えた通信エリアを輻輳が予測される輻輳エリアと判定する判定部と、前記判定された輻輳エリアの全ての着信先番号を、前記ＨＳＳサーバにアクセスして取得する全番号取得部と、前記全番号取得部で取得された前記輻輳エリアの全ての着信先番号に対応する全ての接続先情報を、前記ＥＮＵＭ権威ＤＮＳサーバにアクセスして取得する全情報取得部と、前記全情報取得部で取得された、前記全ての着信先番号に該当接続先情報を対応付けてキャッシュする処理を行う対応付け処理部と、を備え、前記ＥＮＵＭ権威ＤＮＳサーバは、前記接続先情報の取得要求に応じて、前記輻輳エリアの全ての着信先番号に対応する全ての接続先情報をＥＮＵＭキャッシュサーバへ一括返信する一括送信部を備えることを特徴とする通信システムである。
【００２１】
この構成によれば、次のような作用効果を得ることができる。キャッシュサーバが、ＳＩＰサーバからの着信先の問合せのアクセス数をカウントアップして閾値と比較することにより、通信エリア（例えば＃２）を輻輳エリアと判定したとする。この際に、キャッシュサーバは、輻輳エリアの全ての着信先番号をＨＳＳから取得し、取得された輻輳エリアの全ての着信先番号に対応する全ての接続先情報を、権威サーバから取得してキャッシュする。
【００２２】
このため、ＳＩＰサーバから、輻輳エリア（＃２）に在圏する端末機へ着信を行うために必要な接続要求をキャッシュサーバへ送信した際に、キャッシュサーバは、その要求のあった着信先番号及び接続先情報をＳＩＰサーバへ返信することが可能となる。これにより、輻輳エリア（＃２）への着信先の問合せ時には、キャッシュサーバから権威サーバへの接続先情報の問合せを行わなくとも良くなるので、着信先の問合せが急増しても、キャッシュサーバと権威サーバ間で輻輳が生じることが無くなる。従って、本発明では、特定の通信エリア（＃２）への接続要求が急増した場合に、通信設備コストを増大させることなく、その急増する接続要求に応答することができる。
【００２３】
請求項４に係る発明は、端末機間の呼接続を行うＳＩＰサーバと、端末機の発信後の前記ＳＩＰサーバからの着信先の問合せ時に、自サーバに記憶する前記着信先の接続先情報又はＥＮＵＭ権威ＤＮＳサーバから取得して記憶した接続先情報を当該ＳＩＰサーバへ返信するＥＮＵＭキャッシュサーバと、前記接続先情報を一括管理し、当該ＥＮＵＭキャッシュサーバからの取得要求に応じて該当接続先情報を返信するＥＮＵＭ権威ＤＮＳサーバと、端末機の加入者情報を一括管理し、前記ＳＩＰサーバからの着信先の問合せに応じて該当加入者情報を当該ＳＩＰサーバへ返信するＨＳＳサーバとを有する通信システムによる輻輳回避方法であって、前記通信システムの前記ＨＳＳサーバは、前記ＳＩＰサーバからの着信先の問合せのアクセス数を、前記加入者情報に含まれる端末機の着信先番号毎に所定時間カウントアップし、当該カウントアップされるアクセス数を、前記端末機が在圏する通信エリア毎に合計して合計アクセス数として記憶部に記憶するステップと、前記合計アクセス数が、予め定められた閾値を超えた場合に、当該閾値を超えた通信エリアを輻輳が予測される輻輳エリアと判定するステップと、前記判定された輻輳エリアの全ての着信先番号を前記ＥＮＵＭ権威ＤＮＳサーバへ送信するステップとを実行し、前記ＥＮＵＭ権威ＤＮＳサーバは、前記ＨＳＳサーバから送信されてきた前記全ての着信先番号を該当接続先情報に各々対応付けて、前記ＥＮＵＭキャッシュサーバへ一括送信するステップを実行することを特徴とする輻輳回避方法である。
【００２４】
この方法によれば、請求項１に記載したと同様な作用効果を得ることができる。
【発明の効果】
【００２５】
本発明によれば、特定の通信エリアへの接続要求が急増した場合に、通信設備コストを増大させることなく、その急増する接続要求に応答することができる通信システム及び輻輳回避方法を提供することができる。
【図面の簡単な説明】
【００２６】
【図１】本発明の第１実施形態に係る通信システムの構成を示すブロック図である。
【図２】（ａ）第１実施形態のＨＳＳの特徴構成を示すブロック図、（ｂ）ＥＮＵＭ権威ＤＮＳサーバの特徴構成を示すブロック図である。
【図３】第１実施形態の通信システムの特徴構成を示すブロック図である。
【図４】第１実施形態に係る通信システムにおける輻輳回避処理の動作を説明するためのフローチャートである。
【図５】第１実施形態の変形例による通信システムの特徴構成を示すブロック図である。
【図６】第２実施形態の通信システムの特徴構成を示すブロック図である。
【図７】第２実施形態のＥＮＵＭキャッシュサーバの特徴構成を示すブロック図である。
【発明を実施するための形態】
【００２７】
以下、本発明の実施形態を、図面を参照して説明する。
＜第１実施形態の構成＞
図１は、本発明の第１実施形態に係る通信システムの構成を示すブロック図である。
図１に示す通信システム１０は、通信事業者の移動体通信網２０に、複数の携帯端末機１ａ〜１ｉを収容する複数のＳＩＰサーバ３０ａ，３０ｂと、ＥＮＵＭキャッシュサーバ（キャッシュサーバともいう）４０と、ＥＮＵＭ権威ＤＮＳサーバ（権威サーバともいう）５０と、ＨＳＳ６０とを備えて構成されている。但し、キャッシュサーバ４０と権威サーバ５０とでＥＮＵＭシステム７０を構成している。
【００２８】
また、複数の携帯端末機１ａ〜１ｉは、図示せぬ無線基地局からの電波により形成される通信エリア＃１に携帯端末機１ａ，１ｂ，１ｃが在圏し、通信エリア＃２に携帯端末機１ｄ，１ｅ，１ｆが在圏し、通信エリア＃３に携帯端末機１ｇ，１ｈ，１ｉが在圏している。通信エリア＃１に在圏する携帯端末機１ａ〜１ｃは無線基地局を介してＳＩＰサーバ３０ａに収容され、通信エリア＃２に在圏する携帯端末機１ｄ〜１ｆと、通信エリア＃３に在圏する携帯端末機１ｇ〜１ｉとは、無線基地局を介してＳＩＰサーバ３０ｂに収容されている。
【００２９】
最初に、通信システム１０における通常時の発信処理を、図１を参照して説明する。
まず、電話番号「080-LLLL-MMMM」の携帯端末機１ｉから電話番号「080-CCCC-DDDD」の携帯端末機１ｅへ発信が行われると、矢印Ｙ１で示すように、携帯端末機１ｉからの接続要求メッセージがＳＩＰサーバ３０ｂへ送信される。接続要求メッセージを受け付けたＳＩＰサーバ３０ｂは、矢印Ｙ２で示すように、キャッシュサーバ４０に対して、着信先情報に対応する接続先情報の取得要求である接続先情報要求メッセージを送信する。なお、着信先情報は、着信先の通信事業者へ接続するための着信先の電話番号に対応するＵＲＩ等である。
【００３０】
キャッシュサーバ４０は、受信した接続先情報を自サーバの記憶部（図示せず）に記憶（キャッシュともいう）しているか否かを確認する。キャッシュしていなければ、キャッシュサーバ４０は、矢印Ｙ３で示すように、権威サーバ５０に接続先情報問合せメッセージ（問合せメッセージともいう）を送信して、接続先情報の問合せを行う。
【００３１】
権威サーバ５０は、問合せメッセージを受信すると、自サーバのデータベース（図示せず）を検索して、その着信先の携帯端末機１ｅに対応する接続先情報を抽出し、矢印Ｙ４で示すようにキャッシュサーバ４０へ、その接続先情報を含む接続先情報応答メッセージ（応答メッセージともいう）を返信する。キャッシュサーバ４０は、その応答メッセージを受信すると、その応答メッセージに含まれる接続先情報をキャッシュし、このキャッシュされた接続先情報を含む接続先情報応答メッセージを、矢印Ｙ５で示すようにＳＩＰサーバ３０ｂへ送信する。言い換えれば、キャッシュサーバ４０からＳＩＰサーバ３０ｂへ接続先情報を返信する。
【００３２】
一方、キャッシュサーバ４０が、上記のＳＩＰサーバ３０ｂから受信した接続先情報をキャッシュしている場合は、権威サーバ５０への問合せは行わず、キャッシュされている接続先情報を、矢印Ｙ５で示すように、ＳＩＰサーバ３０ｂへ返信する。
【００３３】
また、キャッシュサーバ４０は、移動体通信網２０において番号ポータビリティが実施されている場合、番号ポータビリティの情報を管理している。この際、ＳＩＰサーバ３０ｂは、上述した接続先情報要求メッセージの送信と共に、携帯端末機１ｉの発信時の着信先の電話番号（着信先番号）が番号ポータビリティされているか否かをキャッシュサーバ４０に問い合わせる。キャッシュサーバ４０は、その着信先番号が他の通信事業者が管理する番号であれば、その通信事業者Ａから接続先情報（番号ポータビリティ関連情報）を取得して、ＳＩＰサーバ３０ｂへ返信するといった処理を行う。
【００３４】
ＳＩＰサーバ３０ｂは、通信事業者Ａからの接続先情報、又は、接続先情報応答メッセージに含まれる接続先情報を受信すると、通信事業者の全ての加入者情報を管理するＨＳＳ６０に、矢印Ｙ６，Ｙ７で示すように、その接続先情報に対応する加入者情報を問合せて取得する。この際、携帯端末機１ａ〜１ｉは通信エリア＃１〜＃３を自在に移動可能なので、ＳＩＰサーバ３０ｂは、ＨＳＳ６０に対して、着信先の携帯端末機１ｅが存在する通信エリア＃１〜＃３を収容するＳＩＰサーバ３０ａ，３０ｂを問い合わせる。このケースでは、携帯端末機１ｅは通信エリア＃２に存在するので、この通信エリア＃２を収容するＳＩＰサーバ３０ｂの情報がＨＳＳ６０からＳＩＰサーバ３０ｂへ返信される。
【００３５】
ＳＩＰサーバ３０ｂは、その返信情報に応じて自サーバ３０ｂから矢印Ｙ６で示すように、返信された加入者情報に示される着信先番号やサービスの条件等に基づき、発信元の携帯端末機１ｉを、着信先の携帯端末機１ｅに呼接続する。
【００３６】
次に、発信元の携帯端末機１ｉを、着信先の携帯端末機１ｅに呼接続する際に、異なるＳＩＰサーバ３０を介して行う場合について説明する。
まず、通信エリア＃１に在圏する電話番号「090-NNNN-PPPP」の携帯端末機１ａから、通信エリア＃２に在圏する電話番号「090-AAAA-BBBB」の携帯端末機１ｄへ発信が行われたとする。この場合、矢印Ｙ１１で示すように、携帯端末機１ａからの接続要求メッセージがＳＩＰサーバ３０ａへ送信され、更に、ＳＩＰサーバ３０ａから矢印Ｙ１２で示すように、キャッシュサーバ４０に対して接続先情報要求メッセージが送信される。
【００３７】
この際、キャッシュサーバ４０は、その要求メッセージの接続先情報をキャッシュしているとすると、矢印Ｙ１３で示すように、キャッシュされた接続先情報をＳＩＰサーバ３０ａへ送信する。
【００３８】
ＳＩＰサーバ３０ａは、返信されてきた接続先情報を受信すると、ＨＳＳ６０に、矢印Ｙ１４で示すように、接続先情報に対応する加入者情報を問合せると共に、着信先の携帯端末機１ｄが存在する通信エリア＃１〜＃３を収容するＳＩＰサーバ３０ａ，３０ｂを問い合わせる。このケースでは、携帯端末機１ｄは通信エリア＃２に存在するので、通信エリア＃２を収容するＳＩＰサーバ３０ｂの情報が、ＨＳＳ６０から矢印Ｙ１５で示すようにＳＩＰサーバ３０ａへ返信される。
【００３９】
ＳＩＰサーバ３０ａは、その返信情報に応じて、矢印Ｙ１６で示すように他のＳＩＰサーバ３０ｂへ、ＨＳＳ６０から取得した加入者情報を送信する。この加入者情報を受信したＳＩＰサーバ３０ｂは、矢印Ｙ１７で示すように、発信元の携帯端末機１ａを、着信先の携帯端末機１ｄに呼接続する。
【００４０】
次に、このような通常の発信処理を行う通信システム１０において、第１実施形態の特徴構成について説明する。
本特徴は、ＨＳＳ６０及び権威サーバ５０が、特定の通信エリアに在圏する携帯端末機１に、着信のための接続要求の問合せが急増した際に、急増する接続要求による輻輳を回避して、その接続要求に応答可能な処理を行うようにしたことである。
【００４１】
例えば、図１に示すように通信エリア２に激甚災害が発生（激甚発生）すると、通信エリア２に在圏する携帯端末機１に、着信のための接続要求の問合せが急増する。この際、ＳＩＰサーバ３０は、キャッシュサーバ４０から接続先情報を取得するが、急増する接続要求の接続先情報は、緊急時であるため、キャッシュサーバ４０には激甚災害発生の前にキャッシュされていないものが多い。そこで、キャッシュサーバ４０は権威サーバ５０に問合せを行って接続先情報を取得し、キャッシュするが、このキャッシュサーバ４０と権威サーバ５０とのアクセスが急増すると、輻輳状態となって通信が行えなくなる。
【００４２】
そこで、ＨＳＳ６０が激甚発生の通信エリア＃２の全ての着信先番号を権威サーバ５０へ送信し、権威サーバ５０が全ての着信先番号に該当接続先情報を対応付けてキャッシュサーバ４０へ送信し、キャッシュサーバ４０が全ての着信先番号とこれに対応付けられた該当接続先情報との情報をキャッシュするようにした。これによって、携帯端末機１からの激甚発生の通信エリア＃２への着信先の問合せ時に、ＳＩＰサーバ３０がキャッシュサーバ４０から該当の着信先番号及び接続先情報を取得することができるので、激甚発生の通信エリア＃２に急増する接続要求による輻輳を回避して、ＳＩＰサーバ３０からの接続要求に応答可能となる。
【００４３】
図２（ａ）に示すように、ＨＳＳ６０は、通信部６１と、輻輳回避処理部６２と、記憶部６３とを備えて構成されている。輻輳回避処理部６２は、問合せアクセス計数部６２ａ、輻輳エリア判定部６２ｂ及び輻輳エリア全番号送信部６２ｃを備える。記憶部６３はトラフィック管理テーブル６３ａを記憶する。なお、アクセス計数部６２ａは計数部６２ａともいい、輻輳エリア判定部６２ｂは判定部６２ｂ、輻輳エリア全番号送信部６２ｃは番号送信部６２ｃ、トラフィック管理テーブル６３ａは管理テーブル６３ａともいう。
【００４４】
通信部６１は、ＳＩＰサーバ３０ａ，３０ｂ（図１参照）との間で、情報の送受信を行う通信インタフェース（図示せず）を備えて構成される。通信部６１は、ＳＩＰサーバ３０ａ，３０ｂから情報を受信すると、この情報を輻輳回避処理部６２へ出力し、また、輻輳回避処理部６２で生成された情報をＳＩＰサーバ３０ａ，３０ｂへ送信する。
【００４５】
輻輳回避処理部６２は、特定の通信エリアに激甚災害が発生する等の要因によって、着信のための接続要求の問合せが急増した際に、その通信エリアに在圏する携帯端末機１への通信の輻輳を回避するための処理を行うものである。
【００４６】
計数部６２ａは、各通信エリアに在圏する携帯端末機１への着信のための問合せのアクセス数をカウントアップし、このカウントアップ値を記憶部６３の管理テーブル６３ａ（図３参照）に記憶するものである。但し、カウントアップ値、言い換えれば、カウント毎に積算される値は、所定時間間隔（例えば１分間隔）でリセットされるようになっている。
【００４７】
例えば、計数部６２ａは、図３に矢印Ｙ２１で示すように、ＳＩＰサーバ３０ｂからＨＳＳ６０に着信先番号の問合せアクセスがあった際に、通信エリア毎に問合せのアクセス数をカウントアップする。例えば、図３の管理テーブル６３ａに示すように、通信エリア＃２に在圏する携帯端末機１の着信先番号「09011112222」の問合せアクセス数を１分間（アクセス数／分）、カウントアップし、この１分間カウントアップ後にリセットする。この動作が繰り返される。
【００４８】
本例ではアクセス数／分＝「３」となっているが、そのアクセス数／分は１分間隔でリセットされる。同様に、通信エリア＃２に在圏する他の携帯端末機１の着信先番号「09022224444」への問合せアクセス数を１分間、カウントアップする。本例においてアクセス数／分＝「５」→「６」は、カウントアップされるアクセス数／分が５回から６回になった状態を示す。
【００４９】
更に、計数部６２ａは、通信エリア＃２に在圏する全ての携帯端末機１のアクセス数／分を合計した値を、通信エリア＃２の「合計アクセス数／分」の欄に記憶する。この動作は、通信エリア＃２に在圏する何れかの携帯端末機１への問合せアクセス数がカウントアップされる毎に、通信エリア＃２の合計アクセス数／分がカウントアップされることになる。また、本例では通信エリア＃２の合計アクセス数／分が、「１０００」→「１００１」となっている。これは、合計アクセス数／分が１０００回から１００１回になったことを示す。また、合計アクセス数／分も、アクセス数／分と同期して１分間隔でリセットされる。
【００５０】
なお、矢印Ｙ２１で示すように、ＳＩＰサーバ３０ｂからＨＳＳ６０に着信先の問合せがあった場合は、矢印Ｙ２２で示すように、その問合せの着信先に対応する加入者情報がＳＩＰサーバ３０ｂへ返信される。
【００５１】
判定部６２ｂは、通信エリア毎の合計アクセス数が、予め定められた閾値を超えた際に、この超えた通信エリア（例えば＃２）が輻輳エリアと判定する。輻輳エリアとは、輻輳が予測されるエリアであり、特定の通信エリア＃２の携帯端末機１へのアクセス数が処理能力を超え、輻輳する可能性を示唆するエリアである。
【００５２】
番号送信部６２ｃは、上記の輻輳エリアと判定された通信エリア＃２（これを、輻輳エリア＃２ともいう）の全ての加入者情報に含まれる着信先番号を、図３に矢印Ｙ２３で示すように、権威サーバ５０へ一括送信する。
【００５３】
ここで、権威サーバ５０について説明する。権威サーバ５０は、図２（ｂ）に示すように、通信部５１と、一括送信部５２と、記憶部５３とを備えて構成されている。記憶部５３は、移動体通信網２０の全ての接続先情報５３ａを記憶する。
【００５４】
図２（ｂ）に示す通信部５１は、キャッシュサーバ４０及びＨＳＳ６０（図３）との間で、情報の送受信を行う通信インタフェース（図示せず）を備えて構成される。通信部５１は、キャッシュサーバ４０から問合せメッセージを受信すると、その問合せに応じた接続先情報５３ａをキャッシュサーバ４０へ送信する。また、通信部５１は、後述するようにＨＳＳ６０からの輻輳エリア＃の全ての着信先番号を受信し、また、全ての着信先番号に該当接続先情報５３ａが各々対応付けられた対の情報を、キャッシュサーバ４０へ送信する。
【００５５】
一括送信部５２は、後述するようにＨＳＳ６０から受信した輻輳エリア＃の全ての着信先番号に、該当接続先情報５３ａを各々対応付けて対とし、この対の情報の全てをキャッシュサーバ４０へ一括送信する。
【００５６】
図３において、権威サーバ５０は、一括送信部５２によって、ＨＳＳ６０から一括送信された輻輳エリア＃２の全ての着信先番号を該当の接続先情報に対応付け、矢印Ｙ２４で示すようにキャッシュサーバ４０へ一括送信する。キャッシュサーバ４０は、その一括送信されて来た全ての着信先番号及び接続先情報の対の情報を受信してキャッシュする。これによって、ＳＩＰサーバ３０ｂが、矢印Ｙ２５で示すように、キャッシュサーバ４０に対して、通信エリア＃２への携帯端末機への着信先である接続先情報要求メッセージを送信した際に、矢印Ｙ２６で示すように、キャッシュされている通信エリア＃２の接続先情報に対応付けられた着信先番号を取得可能となる。
【００５７】
＜第１実施形態の動作＞
次に、第１実施形態に係る輻輳回避処理の動作を、図４に示すフローチャートを参照して説明する。
但し、図１に示す通信エリア＃１〜＃３に在圏する何れかの携帯端末機１へ発信が行われ、この発信により、ＳＩＰサーバ３０ｂがキャッシュサーバ４０から接続先情報を取得したことを前提条件とする。この他に、キャッシュサーバ４０は接続先情報をキャッシュしていれば、キャッシュされた接続先情報をＳＩＰサーバ３０ｂへ返信するが、キャッシュされていなければ、権威サーバ５０へ問合せを行って接続先情報を取得してキャッシュし、この接続先情報をＳＩＰサーバ３０ｂへ返信する。また、キャッシュサーバ４０は、必要に応じて番号ポータビリティの処理を行っているとする。
【００５８】
ステップＳ１において、図３に矢印Ｙ２１で示すように、ＳＩＰサーバ３０ｂはＨＳＳ６０に着信先番号の問合せを行う。ステップＳ２において、ＨＳＳ６０の計数部６２ａは、通信エリア＃１〜＃３毎に問合せのアクセス数をカウントアップし、このカウントアップ値を記憶部６３の管理テーブル６３ａに記憶する処理を行っているとする。この際、管理テーブル６３ａのアクセス数／分の欄には、着信先番号毎にカウントアップされるアクセス数が順次上書きされて記憶され、合計アクセス数／分の欄には、通信エリア＃１〜＃３毎の合計アクセス数が順次積算されて上書きされる。この記憶されるアクセス数及び合計アクセス数は例えば１分経過毎（１分間隔）でリセットされる。
【００５９】
ステップＳ３において、判定部６２ｂは管理テーブル６３ａの合計アクセス数／分の欄に記憶された合計アクセス数が、閾値（＝１０００とする）を超えたか否かを判定する。超えていなければ（Ｎｏ）、上記ステップＳ２に戻ってアクセス数のカウントアップを継続する。
【００６０】
一方、超えていれば（Ｙｅｓ）、ステップＳ４において、判定部６２ｂは、その閾値＝１０００を超えた通信エリア（例えば＃２）が輻輳エリアと判定する。
例えば、図３の管理テーブル６３ａに示すように、通信エリア＃２に在圏する携帯端末機１の着信先番号「09022224444」への問合せアクセス数／分の計数値が、「５」から「６」となり、これに応じて、通信エリア＃２の合計アクセス数／分が「１０００」から「１００１」となったとする。この場合、判定部６２ｂは、合計アクセス数／分「１００１」が、閾値＝１０００を超えた通信エリア＃２を輻輳エリアと判定する。通信エリア＃２を輻輳エリア＃２ともいう。
【００６１】
次に、ステップＳ５において、番号送信部６２ｃは、上記ステップＳ４で輻輳エリアと判定された輻輳エリア＃２の全ての着信先番号を、図３に矢印Ｙ２３で示すように、権威サーバ５０へ一括送信する。
【００６２】
次に、ステップＳ６において、権威サーバ５０は、その一括送信された輻輳エリア＃２の全ての着信先番号を受信し、一括送信部５２は、全ての着信先番号を該当接続先情報に対応付けて、矢印Ｙ２４で示すようにキャッシュサーバ４０へ一括送信する。ステップＳ７において、キャッシュサーバ４０は、その一括送信されて来た全ての着信先番号及び該当接続先情報の各対の情報を受信してキャッシュする。
【００６３】
このキャッシュによって、ＳＩＰサーバ３０ｂは次の処理動作を行うことができる。図３の矢印Ｙ２５で示すように、ＳＩＰサーバ３０ｂからキャッシュサーバ４０に対して、輻輳エリア＃２に在圏する携帯端末機１への接続先情報要求メッセージが送信されたとする。
【００６４】
この場合、キャッシュサーバ４０には、上記ステップＳ６で輻輳エリア＃２の全ての着信先番号に対応付けられて全ての接続先情報がキャッシュされているので、矢印Ｙ２６で示すように、キャッシュサーバ４０から直接該当の着信先番号及び接続先情報を返信することができる。これにより、ＳＩＰサーバ３０ｂは、着信先番号及び接続先情報に応じて、発信元の携帯端末機１を着信先の携帯端末機１に呼接続する。
【００６５】
＜第１実施形態の効果＞
以上説明した第１実施形態の通信システム１０は、携帯端末機１間の呼接続を行うＳＩＰサーバ３０と、携帯端末機１の発信後のＳＩＰサーバ３０からの着信先の問合せ時に、自サーバに記憶する当該問合せの着信先の接続先情報又は権威サーバ５０から取得して記憶した接続先情報を当該ＳＩＰサーバ３０へ返信するキャッシュサーバ４０と、接続先情報を一括管理し、当該キャッシュサーバ４０からの取得要求に応じて該当接続先情報を返信する権威サーバ５０と、携帯端末機１の加入者情報を一括管理し、ＳＩＰサーバ３０からの着信先の問合せに応じて該当加入者情報を当該ＳＩＰサーバ３０へ返信するＨＳＳ６０とを有する。
【００６６】
第１実施形態の特徴は、ＨＳＳ６０が計数部６２ａ、判定部６２ｂ及び番号送信部６２ｃを備え、権威サーバ５０が一括送信部５２を備えることにある。
ＨＳＳ６０の計数部６２ａは、ＳＩＰサーバ３０からの着信先の問合せのアクセス数を、加入者情報に含まれる携帯端末機１の着信先番号毎に所定時間カウントアップし、当該着信先番号毎にカウントアップされるアクセス数を、携帯端末機１が在圏する通信エリア毎に合計して合計アクセス数として記憶部６３に記憶する。
【００６７】
判定部６２ｂは、合計アクセス数が、予め定められた閾値を超えた場合に、当該閾値を超えた通信エリア（例えば＃２）を輻輳が予測される輻輳エリアと判定する。
番号送信部６２ｃは、判定された輻輳エリア＃２の全ての着信先番号を権威サーバ５０へ送信する。
権威サーバ５０の一括送信部５２は、番号送信部６２ｃから送信された全ての加入者情報を該当接続先情報に各々対応付けて、キャッシュサーバ４０へ一括送信する。
【００６８】
この構成によれば、ＨＳＳ６０が通信エリア（例えば＃２）を輻輳エリアと判定した際に、ＨＳＳ６０から権威サーバ５０を介してキャッシュサーバ４０に、輻輳エリア＃２に在圏する全ての携帯端末機１の着信先番号が該当接続先情報に各々対応付けられてキャッシュされる。このため、ＳＩＰサーバ３０からキャッシュサーバ４０に対して、輻輳エリア＃２に在圏する携帯端末機１への接続先情報要求メッセージを送信した際に、キャッシュサーバ４０は、その要求のあった着信先番号及び接続先情報をＳＩＰサーバ３０へ返信することが可能となる。これにより、ＳＩＰサーバ３０は、着信先番号及び接続先情報に応じて、発信元携帯端末機１を着信先携帯端末機１に呼接続することができる。
【００６９】
このため、輻輳エリア＃２への着信先の問合せ時には、キャッシュサーバ４０から権威サーバ５０への接続先情報の問合せを行わなくとも良くなるので、着信先の問合せが急増しても、キャッシュサーバ４０と権威サーバ５０間で輻輳が生じることが無くなる。従って、本実施形態では、特定の通信エリア＃２への接続要求が急増した場合に、通信設備コストを増大させることなく、その急増する接続要求に応答することができる。
【００７０】
＜第１実施形態の変形例＞
次に、第１実施形態の変形例を、図５に示す通信システム１０Ａのブロック図を参照して説明する。
通信システム１０Ａが、図３に示した通信システム１０と異なる点について説明する。即ち、携帯端末機１（図１参照）からの発信後に、最初に、ＳＩＰサーバ３０ｂが矢印Ｙ３１で示すように、ＨＳＳ６０に対して着信先の問合せを行う。次に、その問合せを受けたＨＳＳ６０が、矢印Ｙ３２で示すようにキャッシュサーバ４０に、当該着信先への接続先情報の問合せを行って矢印Ｙ３３で示すように接続先情報を取得し、この接続先情報とこれに対応する加入者情報とを、矢印Ｙ３４で示すようにＳＩＰサーバ３０ｂへ返信するようになっている。
【００７１】
但し、キャッシュサーバ４０に該当接続先情報がキャッシュされていない場合は、ＨＳＳ６０は、矢印Ｙ３５で示すように、権威サーバ５０に接続先情報の問合せを行い、これに応じて、権威サーバ５０が、矢印Ｙ３６で示すように、その問合せに対応する接続先情報をキャッシュサーバ４０へ返信する。キャッシュサーバ４０は、その接続先情報をキャッシュし、矢印Ｙ３３，Ｙ３４で示すように、ＳＩＰサーバ３０ｂへ送信する。
【００７２】
このような処理を行う通信システム１０Ａにおいても、上述した第１実施形態の特徴である図２（ａ）に示したＨＳＳ６０と、図２（ｂ）に示した権威サーバ５０とを適用することができる。
【００７３】
即ち、携帯端末機１（図１参照）からの発信後に、図５に示すように、ＳＩＰサーバ３０ｂが矢印Ｙ３１で示すように、ＨＳＳ６０に対して着信先の問合せを行うと、前述した第１実施形態の動作説明と同様に、ＨＳＳ６０の計数部６２ａは、通信エリア＃１〜＃３（図１参照）毎に問合せのアクセス数をカウントアップして記憶部６３の管理テーブル６３ａに記憶する。
【００７４】
ここで、判定部６２ｂが管理テーブル６３ａの合計アクセス数／分の欄に記憶された合計アクセス数が、閾値（＝１０００とする）を超えたことを検知した際に、その閾値を超えた通信エリア（例えば＃２）が輻輳エリアと判定する。次に、番号送信部６２ｃが、その判定された輻輳エリア＃２の全ての着信先番号を、矢印Ｙ３７で示すように、権威サーバ５０へ一括送信する。
【００７５】
権威サーバ５０は、その一括送信された輻輳エリア＃２の全ての着信先番号を受信し、一括送信部５２が、全ての着信先番号を該当接続先情報に対応付けて、矢印Ｙ３８で示すようにキャッシュサーバ４０へ一括送信する。キャッシュサーバ４０は、その一括送信されて来た全ての着信先番号及び該当接続先情報の各対の情報を受信してキャッシュする。
【００７６】
このキャッシュによって、ＳＩＰサーバ３０ｂからキャッシュサーバ４０に対して、輻輳エリア＃２に在圏する携帯端末機１への接続先情報の要求が送信された際に、キャッシュサーバ４０から直接該当の着信先番号及び接続先情報を返信することができる。
【００７７】
この変形例によれば、ＳＩＰサーバ３０ｂからのＨＳＳ６０への着信先の問合せ時に、ＨＳＳ６０が、着信先の接続先情報をキャッシュサーバ４０から取得し、この取得した接続先情報に着信先の権威サーバの加入者情報を対応付けて、ＳＩＰサーバ３０ｂへ返信する通信処理を行う通信システム１０Ａにおいても、上述した第１実施形態と同様な作用効果を得ることができる。
【００７８】
＜第２実施形態の構成＞
図６は、本発明の第２実施形態に係る通信システムの構成を示すブロック図である。
図６に示す通信システム１０Ｂは、第１実施形態の通信システム１０（図３参照）で説明したと同様な通常時の発信処理を行う。通信システム１０Ｂが通信システム１０と異なる点は、キャッシュサーバ４０ＢとＨＳＳ６０Ｂにある。ＨＳＳ６０Ｂは、第１実施形態のＨＳＳ６０の特徴構成を備えない一般的なＨＳＳである。
【００７９】
キャッシュサーバ４０Ｂは、図１に示す特定の通信エリア（例えば＃２）に在圏する携帯端末機１に、着信のための接続要求の問合せが急増した際に、急増する接続要求による輻輳を回避して、その接続要求に応答可能な処理を行う。
【００８０】
このキャッシュサーバ４０Ｂは、図７に示すように、通信部４１と、輻輳回避処理部４２と、記憶部４３とを備えて構成されている。輻輳回避処理部４２は、在圏エリア取得部４２ａと、問合せアクセス計数部４２ｂと、輻輳エリア判定部４２ｃと、輻輳エリア全番号取得部４２ｄと、輻輳エリア全情報取得部４２ｅと、一括取得情報対応付け処理部４２ｆとを備える。記憶部４３はトラフィック管理テーブル４３ａを記憶する。
【００８１】
なお、問合せアクセス計数部４２ｂは計数部４２ｂともいい、輻輳エリア判定部４２ｃは判定部４２ｃ、輻輳エリア全番号取得部４２ｄは全番号取得部４２ｄ、輻輳エリア全情報取得部４２ｅは全情報取得部４２ｅ、一括取得情報対応付け処理部４２ｆは対応付け処理部４２ｆ、トラフィック管理テーブル４３ａは管理テーブル４３ａともいう。
【００８２】
通信部４１は、ＳＩＰサーバ３０ａ，３０ｂ（図１参照）、権威サーバ５０、ＨＳＳ６０Ｂとの間で、情報の送受信を行う通信インタフェース（図示せず）を備えて構成されている。
【００８３】
輻輳回避処理部４２は、特定の通信エリアに激甚災害が発生する等の要因によって、着信のための接続要求の問合せが急増した際に、その通信エリアに在圏する携帯端末機１への通信の輻輳を回避するための処理を行うものである。
【００８４】
在圏エリア取得部４２ａは、図６に矢印Ｙ４１で示すように、ＳＩＰサーバ３０ｂから着信先の問合せアクセスがあった際に、矢印Ｙ４２，Ｙ４３で示すように、その問合せの着信先番号の携帯端末機１が在圏する通信エリアを示す情報をＨＳＳ６０Ｂから取得する。ＨＳＳ６０Ｂは、携帯端末機１の着信先番号と、当該携帯端末機１が在圏する通信エリアを示す情報とを対応付けた管理テーブル６４を図示せぬ記憶部に記憶しており、前記の問合せに応じて管理テーブル６４を検索し、該当する通信エリアを示す情報をＳＩＰサーバ３０ｂへ送信する。
【００８５】
計数部４２ｂは、ＨＳＳ６０Ｂから取得した各通信エリア毎に、在圏する携帯端末機１の着信先番号の問合せのアクセス数をカウントアップし、このカウントアップ値であるアクセス数を記憶部４３の管理テーブル４３ａに記憶する。例えば、通信エリア＃２に在圏する１０台の携帯端末機１から１回ずつ問合せアクセスがあった場合は、通信エリア＃２のアクセス数は「１０」となる。但し、そのアクセス数は、所定時間間隔（例えば１分間隔）でリセットされるようになっている。
【００８６】
判定部４２ｃは、管理テーブル４３ａの通信エリア毎のアクセス数が、予め定められた閾値を超えた際に、この超えた通信エリア（例えば＃２）が前述した輻輳エリアと判定する。
【００８７】
全番号取得部４２ｄは、上記の輻輳エリアと判定された通信エリア＃２（これを、輻輳エリア＃２ともいう）の全ての着信先番号を、矢印Ｙ４４，Ｙ４５で示すように、ＨＳＳ６０ＢにアクセスしてＨＳＳ６０Ｂから取得する。
【００８８】
この取得後、全情報取得部４２ｅは、矢印Ｙ４６で示すように、ＨＳＳ６０Ｂから取得した輻輳エリア＃２の全ての着信先番号に対応する全ての接続先情報の要求メッセージを権威サーバ５０へ送信する。
権威サーバ５０の一括送信部５２｛図２（ｂ）｝は、その要求メッセージに応じて、輻輳エリア＃２の全ての着信先番号に対応する全ての接続先情報を、矢印Ｙ４７で示すように、キャッシュサーバ４０Ｂへ一括返信する。
【００８９】
キャッシュサーバ４０Ｂの対応付け処理部４２ｆは、その一括返信されて来た全ての着信先番号に該当接続先情報を対応付けてキャッシュする。これ以降、ＳＩＰサーバ３０ｂが、矢印Ｙ４１で示すように、キャッシュサーバ４０Ｂに対して、通信エリア＃２への携帯端末機１への着信先である接続先情報要求メッセージを送信した際に、矢印Ｙ４８で示すように、キャッシュされている通信エリア＃２の携帯端末機１の着信先番号及びこれに対応付けられた接続先情報を取得可能となる。
【００９０】
＜第２実施形態の効果＞
以上説明した第２実施形態の通信システム１０Ｂは、第１実施形態の通信システム１０と同じ基本構成を有する。第２実施形態の特徴は、キャッシュサーバ４０Ｂが在圏エリア取得部４２ａと、計数部４２ｂと、判定部４２ｃと、全番号取得部４２ｄと、全情報取得部４２ｅと、対応付け処理部４２ｆとを備え、権威サーバ５０が一括送信部５２を備えることにある。
【００９１】
在圏エリア取得部４２ａは、ＳＩＰサーバ３０ｂからの着信先の問合せ時に、当該問合せの着信先の端末機が在圏する通信エリアを示す情報をＨＳＳ６０Ｂから取得する。
計数部４２ｂは、ＳＩＰサーバ３０ｂからの着信先の問合せのアクセス数を、ＨＳＳ６０Ｂから取得した通信エリア毎にカウントアップし、当該カウントアップされるアクセス数を通信エリア毎に記憶部４３に記憶し、この記憶されたアクセス数を所定時間間隔でリセットする。
【００９２】
判定部４２ｃは、アクセス数が、予め定められた閾値を超えた場合に、当該閾値を超えた通信エリア（例えば＃２）を輻輳が予測される輻輳エリアと判定する。
全番号取得部４２ｄは、判定された輻輳エリア＃２の全ての着信先番号を、ＨＳＳ６０Ｂにアクセスして取得する。
【００９３】
全情報取得部４２ｅは、全番号取得部４２ｄで取得された輻輳エリア＃２の全ての着信先番号に対応する全ての接続先情報を、権威サーバ５０にアクセスして取得する。
対応付け処理部４２ｆは、全情報取得部４２ｅで取得された全ての着信先番号に該当接続先情報を対応付けてキャッシュする処理を行う。
【００９４】
権威サーバ５０の一括送信部５２は、接続先情報の取得要求に応じて、輻輳エリア＃２の全ての着信先番号に対応する全ての接続先情報をキャッシュサーバ４０Ｂへ一括返信する。
【００９５】
この構成によれば、次のような効果を得ることができる。キャッシュサーバ４０Ｂが、ＳＩＰサーバ３０ｂからの着信先の問合せのアクセス数をカウントアップして閾値と比較することにより、通信エリア（例えば＃２）を輻輳エリアと判定したとする。この際に、キャッシュサーバ４０Ｂは、輻輳エリア＃２の全ての着信先番号をＨＳＳ６０Ｂから取得し、取得された輻輳エリア＃２の全ての着信先番号に対応する全ての接続先情報を、権威サーバ５０から取得してキャッシュする。
【００９６】
このため、ＳＩＰサーバ３０ｂから、輻輳エリア＃２に在圏する携帯端末機１へ着信を行うために必要な接続要求をキャッシュサーバへ送信した際に、キャッシュサーバ４０Ｂは、その要求のあった着信先番号及び接続先情報をＳＩＰサーバ３０ｂへ返信することが可能となる。これにより、輻輳エリア＃２への着信先の問合せ時には、キャッシュサーバ４０Ｂから権威サーバ５０への接続先情報の問合せを行わなくとも良くなるので、着信先の問合せが急増しても、キャッシュサーバ４０Ｂと権威サーバ５０間で輻輳が生じることが無くなる。従って、特定の通信エリア＃２への接続要求が急増した場合に、通信設備コストを増大させることなく、その急増する接続要求に応答することができる。
【００９７】
なお、通信システム１０（図１参照）は、次の輻輳回避方法を実行してもよい。即ち、通信システム１０のＨＳＳ６０が、ＳＩＰサーバ３０からの着信先の問合せのアクセス数を、加入者情報に含まれる端末機の着信先番号毎に所定時間カウントアップし、当該カウントアップされるアクセス数を、携帯端末機１が在圏する通信エリア毎に合計して合計アクセス数として記憶部に記憶するステップを実行する。
【００９８】
そして、ＨＳＳ６０は、合計アクセス数が、予め定められた閾値を超えた場合に、当該閾値を超えた通信エリア（例えば＃２）を輻輳が予測される輻輳エリアと判定するステップと、判定された輻輳エリア＃２の全ての着信先番号を権威サーバ５０へ送信するステップとを実行する。
権威サーバ５０は、送信されてきた全ての着信先番号を該当接続先情報に各々対応付けて、キャッシュサーバ４０へ一括送信するステップとを実行する。
【００９９】
この輻輳回避方法によれば、着信先の問合せが急増しても、キャッシュサーバ４０と権威サーバ５０間で輻輳が生じることが無くなるので、特定の通信エリア＃２への接続要求が急増した場合に、通信設備コストを増大させることなく、その急増する接続要求に応答することができる。
【０１００】
以上説明した第１実施形態、第１実施形態の変形例、第２実施形態の本発明の特徴技術は、ＩＰ網等の固定通信網においても適用可能である。その他、具体的な構成について、本発明の主旨を逸脱しない範囲で適宜変更が可能である。
【符号の説明】
【０１０１】
１０，１０Ａ，１０Ｂ  通信システム
２０  移動体通信網
１ａ〜１ｉ  携帯端末機
３０ａ，３０ｂ  ＳＩＰサーバ
４０，４０Ｂ  ＥＮＵＭキャッシュサーバ
４１  通信部
４２  輻輳回避処理部
４２ａ  在圏エリア取得部
４２ｂ  問合せアクセス計数部
４２ｃ  輻輳エリア判定部
４２ｄ  輻輳エリア全番号取得部
４２e  輻輳エリア全情報取得部
４２ｆ  一括取得情報対応付け処理部
４３  記憶部
４３ａ  トラフィック管理テーブル
５０  ＥＮＵＭ権威ＤＮＳサーバ
６０，６０Ｂ  ＨＳＳ（ＨＳＳサーバ）
６１  通信部
６２  輻輳回避処理部
６２ａ  問合せアクセス計数部
６２ｂ  輻輳エリア判定部
６２ｃ  輻輳エリア全番号送信部
６３  記憶部
６３ａ  トラフィック管理テーブル
７０  ＥＮＵＭシステム
【図１】
0006310411.tif 000002
【図２】
0006310411.tif 000003
【図３】
0006310411.tif 000004
【図４】
0006310411.tif 000005
【図５】
0006310411.tif 000006
【図６】
0006310411.tif 000007
【図７】
0006310411.tif 000008